【手続補正書】
【提出日】平成16年1月23日(2004.1.23)
【手続補正１】
【補正対象書類名】特許請求の範囲
【補正対象項目名】全文
【補正方法】変更
【補正の内容】
【特許請求の範囲】
【請求項１】
機械に次の方法段階を実行させるための機械読取り可能なプログラムコードを含むプログラムプロダクトにおいて、前記方法段階は、
第１クレジットカード信号を受信する段階であって、前記第１信号は、クレジットカード情報及び取引高を含み、前記取引高は、売上高と税額とを含む前記段階と、
前記クレジットカード情報に関連する取引決裁機関のコンピュータが受信するための第２信号を送信する段階であって、前記第２信号は、前記取引高の決裁要求を含む前記段階と、
前記取引決裁機関の前記コンピュータから第３信号を受信する段階であって、前記第３信号は、決裁を含む前記段階と、
１つ以上の課税管轄官庁への前記税額の割り当てを反映するためにデータベースを更新する段階と、
中央機関コンピュータが受信するための第４信号を送信する段階であって、前記信号は、前記データベースからの情報を含み、前記情報は、前記各課税管轄官庁に振り替えられる累積税額を反映する前記段階と、
を含むプログラムプロダクト。
【請求項２】
機械に次の方法段階を実行させるための機械読取り可能なプログラムコードを含むプログラムプロダクトにおいて、前記方法段階は、
消費者と１つ以上の取引を行なう段階であって、前記各取引は、取引高を有し、前記取引高は、売上高と税額を含む前記段階と、
前記取引毎に、前記消費者に関連する取引決裁機関から、前記取引高の決裁を取得する段階と、
前記取引毎に、前記税額を１つ以上の課税管轄官庁に割り当てる段階と、
前記割り当ての段階を反映するためにデータベースを更新する段階と、
中央機関コンピュータが受信するための信号を送信する段階であって、前記信号は、前記データベースからの情報を含み、前記情報は、前記各課税管轄官庁に振り替えられる累積税額を反映する前記段階と、
を含むプログラムプロダクト。
【請求項３】
機械に次の方法段階を実行させるための機械読取り可能なプログラムコードを含むプログ
ラムプロダクトにおいて、前記方法段階は、
第１組の信号を受信する段階であって、前記第１組の信号は、１つ以上の売買業者コンピュータ各々からの信号を含み、前記第１組の信号の各信号は、１つ以上の課税管轄官庁各々に対する税額割り当てを示す情報を含む前記段階と、
第２組の信号を送信する段階であって、前記第２組は、１つ以上のクレジット機関コンピュータが各々受信するための信号を含み、前記第２組の信号の各信号は、資金振替要求を含む前記段階と、
第３組の信号を受信する段階であって、前記第３組は、前記各クレジット機関コンピュータからの信号を含み、前記第３組の信号の各信号は、第１資金振替を含み、前記第１資金振替は、累積税額を含む前記段階と、
第４組の信号を送信する段階であって、前記第４組は、前記各課税管轄官庁のコンピュータが受信するための信号を含み、前記第４組の信号の各信号は、第２資金振替を含み、前記第２資金振替は、前記税額割り当てを示す前記段階と、
を含むプログラムプロダクト。
【請求項４】
機械に次の方法段階を実行させるための機械読取り可能なプログラムコードを含むプログラムプロダクトにおいて、前記方法段階は、
第１現金受領信号を受信する段階であって、前記第１信号は、取引高を含み、前記取引高は、現金等化形態で消費者から受領した前記税額を含む前記段階と、
１つ以上の課税管轄官庁への前記税額の割り当てを反映するためにデータベースを更新する段階と、
中央機関コンピュータが受信するための第２信号を送信する段階であって、前記第２信号は、前記データベースからの情報を含み、前記情報は、前記各課税管轄官庁に振り替えられる累積税額を反映する前記段階と、
を含むプログラムプロダクト。
【請求項５】
機械に次の方法段階を実行させるための機械読取り可能なプログラムコードを含むプログラムプロダクトにおいて、前記方法段階は、
１つ以上の現金等化取引を消費者と行なう段階であって、前記各取引は、取引高を有し、前記取引高は、税額を含む前記段階と、
前記各取引に対して１つ以上の課税管轄官庁に前記税額を割り当てる段階と、
前記割り当ての段階を反映するためにデータベースを更新する段階と、
中央機関コンピュータが受信するための信号を送信する段階であって、前記信号は、前記データベースからの情報を含み、前記情報は、前記各課税管轄官庁に振り替えられる累積税額を反映し、更に、前記信号は、前記課税管轄官庁に対する前記累積税額を示す資金振替を含む前記段階と、
を含むプログラムプロダクト。
【請求項６】
機械に次の方法段階を実行させるための機械読取り可能なプログラムコードを含むプログラムプロダクトにおいて、前記方法段階は、
第１組の信号を受信する段階であって、前記第１組は、１つ以上の売買業者コンピュータ各々からの信号を含み、前記第１組の信号の各信号は、１つ以上の課税管轄官庁各々に対する税額割り当てを示す情報を含む前記段階と、
第２組の信号を送信する段階であって、前記第２組は、前記各課税管轄官庁のコンピュータが受信するための信号を含み、前記第２組の信号の各信号は、第２資金振替を含み、前記第２資金振替は、前記税額割り当てを表す前記段階と、
を含むプログラムプロダクト。
【請求項７】
機械に次の方法段階を実行させるための機械読取り可能なプログラムコードを含むプログラムプロダクトにおいて、前記方法段階は、
第１デビット口座信号を受信する段階であって、前記第１信号は、消費者用の口座情報及び取引高を含み、前記取引高は、売上高及び税額を含む前記段階と、
１つ以上の課税管轄官庁に対する前記税額の割り当てを決定する段階と、
前記口座情報に対応する銀行のコンピュータが受信するための第２信号を送信する段階であって、前記第２信号は、前記売上高に対応する第１資金振替要求及び前記割り当てに準ずる前記課税管轄官庁への第２資金振替を含む前記段階と、
前記銀行の前記コンピュータから第３信号を受信する段階であって、前記第３信号は、前記第１資金振替を含む前記段階と、
を含むプログラムプロダクト。
【請求項８】
機械に次の方法段階を実行させるための機械読取り可能なプログラムコードを含むプログラムプロダクトにおいて、前記方法段階は、
第１デビット口座信号を受信する段階であって、前記第１信号は、消費者用の口座情報及び取引高を含み、前記取引高は、売上高及び税額を含む前記段階と、
１つ以上の課税管轄官庁に対する前記税額の割り当てを決定する段階と、
前記割り当てを反映するためにデータベースを更新する段階と、
前記口座情報に対応する銀行のコンピュータが受信するための第２信号を送信する段階であって、前記第２信号は、前記取引高に対応する第１資金振替要求を含む前記段階と、
前記銀行の前記コンピュータから第３信号を受信する段階であって、前記第３信号は、前記第１資金振替を含む前記段階と、
中央機関コンピュータが受信するための第４信号を送信する段階であって、前記第４信号は、前記データベースからの情報を含み、前記情報は、前記割り当てを示し、前記第４信号は、更に、累積税額に対応する資金振替を含む前記段階と、
を含むプログラムプロダクト。
【請求項９】
機械に次の方法段階を実行させるための機械読取り可能なプログラムコードを含むプログラムプロダクトにおいて、前記方法段階は、
第１組のデビット口座信号を受信する段階であって、前記第１組の各信号は、消費者用の口座情報、売上高、税額、及び１つ以上の課税管轄官庁に対する前記税額の割り当てに関する情報を含む段階と、
前記第１組の各信号に対する前記割り当てを反映するためにデータベースを更新する段階と、
第２組の信号を送信する段階であって、第２組の各信号は、前記第１組の信号の１つに対応し、また、売買業者に対応するコンピュータが受信するためのものであり、更に、売上高に対応する資金振替を含む前記段階と、
中央機関コンピュータが受信するための第３信号を送信する段階であって、前記第３信号は、累積税額を示す資金振替を含み、前記第３信号は、更に、前記割り当てを示す前記データベースからの情報を含む前記段階と、
を含むプログラムプロダクト。
【請求項１０】
機械に次の方法段階を実行させるための機械読取り可能なプログラムコードを含むプログラムプロダクトにおいて、前記方法段階は、
第１取引信号を受信する段階であって、前記第１信号は、消費者と売買業者との間の取引に関する情報を含み、前記情報は、取引高と消費者情報を含む前記段階と、
前記取引高と前記消費者情報とに基づき１つ以上の課税管轄官庁に対する所得税額の割り当てを決定する段階と、
中央機関コンピュータが受信するための第２信号を送信する段階であって、前記信号は、前記割り当てを含む前記段階と、
を含むプログラムプロダクト。
【請求項１１】
税徴収及び配分方法において、第１クレジットカード信号を受信する段階であって、前記第１信号は、クレジットカード情報及び取引高を含み、前記取引高は、売上高と税額とを含む前記段階と、前記クレジットカード情報に関連する取引決裁機関のコンピュータが受信するための第２信号を送信する段階であって、前記第２信号は、前記取引高の決裁要求を含む前記段階と、前記取引決裁機関の前記コンピュータから第３信号を受信する段階であって、前記第３信号は、決裁を含む前記段階と、を含む前記税徴収及び配分方法であって、
１つ以上の課税管轄官庁への前記税額の割り当てを反映するためにデータベースを更新する段階と、
中央機関コンピュータが受信するための第４信号を送信する段階であって、前記信号は、前記データベースからの情報を含み、前記情報は、前記各課税管轄官庁に振り替えられる累積税額を反映する前記段階と、を特徴とする方法。
【請求項１２】
税徴収及び配分システムにおいて、第１クレジットカード信号を受信するように構成された信号受信モジュールであって、前記第１信号は、クレジットカード情報及び取引高を含み、前記取引高は、売上高と税額とを含む前記信号受信モジュールと、前記クレジットカード情報に関連する取引決裁機関のコンピュータが受信するための第２信号を送信するように構成された信号送信モジュールであって、前記第２信号は、前記取引高の決裁要求を含む前記信号送信モジュールと、を含み、前記信号受信モジュールは、前記取引決裁機関の前記コンピュータから第３信号を受信するように構成されており、前記第３信号は、決裁を含む前記システムであって、
１つ以上の課税管轄官庁への前記税額の割り当てを反映するためにデータベースを更新するように構成されたデータベースモジュールと、
前記信号送信モジュールは、中央機関コンピュータが受信するための第４信号を送信するように構成され、前記信号は、前記データベースからの情報を含み、前記情報は、前記各課税管轄官庁に振り替えられる累積税額を反映すること、
を特徴とするシステム。
【請求項１３】
税徴収及び配分方法において、
第１組の信号を受信する段階であって、前記第１組の信号は、１つ以上の売買業者コンピュータ各々からの信号を含み、前記第１組の信号の各信号は、１つ以上の課税管轄官庁各々に対する税額割り当てを示す情報を含む前記段階と、
第２組の信号を送信する段階であって、前記第２組は、１つ以上のクレジット機関コンピュータが各々受信するための信号を含み、前記第２組の信号の各信号は、資金振替要求を含む前記段階と、
第３組の信号を受信する段階であって、前記第３組は、前記各クレジット機関コンピュータからの信号を含み、前記第３組の信号の各信号は、第１資金振替を含み、前記第１資金振替は、累積税額を含む前記段階と、
第４組の信号を送信する段階であって、前記第４組は、前記各課税管轄官庁のコンピュータが受信するための信号を含み、前記第４組の信号の各信号は、第２資金振替を含み、前記第２資金振替は、前記税額割り当てを表す前記段階と、を特徴とする方法。
【請求項１４】
税徴収及び配分システムにおいて、
第１組の信号を受信するように構成された信号受信モジュールであって、前記第１組の信号は、１つ以上の売買業者コンピュータ各々からの信号を含み、前記第１組の信号の各信号は、１つ以上の課税管轄官庁各々に対する税額割り当てを示す情報を含む前記信号受信モジュールと、
第２組の信号を送信するように構成された信号送信モジュールであって、前記第２組は、１つ以上のクレジット機関コンピュータが各々受信するための信号を含み、前記第２組の信号の各信号は、資金振替要求を含む前記信号送信モジュールと、
前記信号モジュールは、第３組の信号を受信するように構成されており、前記第３組は、前記各クレジット機関コンピュータからの信号を含み、前記第３組の信号の各信号は、第１資金振替を含み、前記第１資金振替は、累積税額を含み、
前記送信モジュールは、第４組の信号を送信するように構成され、前記第４組は、前記各課税管轄官庁のコンピュータが受信するための信号を含み、前記第４組の信号の各信号は、第２資金振替を含み、前記第２資金振替は、前記税額割り当てを表すこと、
を特徴とするシステム。
【請求項１５】
税徴収及び配分方法において、第１現金受領信号を受信する段階であって、前記第１信号は、取引高を含み、前記取引高は、現金等化形態で消費者から受領した前記税額を含む前記段階を含む前記税徴収及び配分方法であって、
１つ以上の課税管轄官庁への前記税額の割り当てを反映するためにデータベースを更新する段階と、
中央機関コンピュータが受信するための第２信号を送信する段階であって、前記第２信号は、前記データベースからの情報を含み、前記情報は、前記各課税管轄官庁に振り替えられる累積税額を反映する前記段階と、
を特徴とする方法。
【請求項１６】
税徴収及び配分システムにおいて、第１現金受領信号を受信するように構成された信号受信モジュールであって、前記第１信号は、取引高を含み、前記取引高は、現金等化形態で消費者から受領した税額を含む前記信号受信モジュールを含む前記税徴収及び配分システムであって、
１つ以上の課税管轄官庁への前記税額の割り当てを反映するために、データベースを更新するように構成されたデータベースモジュールと、
中央機関コンピュータが受信するための第２信号を送信する信号送信モジュールであって、前記第２信号は、前記データベースからの情報を含み、前記情報は、前記各課税管轄官庁に振り替えられる累積税額を反映する前記信号送信モジュールと、
を特徴とするシステム。
【請求項１７】
税徴収及び配分方法において、
第１組の信号を受信する段階であって、前記第１組は、１つ以上の売買業者コンピュータ各々からの信号を含み、前記第１組の信号の各信号は、１つ以上の課税管轄官庁各々に対する税額割り当てを示す情報を含む前記段階と、
第２組の信号を送信する段階であって、前記第２組は、前記各課税管轄官庁のコンピュータが受信するための信号を含み、前記第２組の信号の各信号は、第２資金振替を含み、前記第２資金振替は、前記税額割り当てを表す前記段階と、
を特徴とする方法。
【請求項１８】
税徴収及び配分システムであって、
第１組の信号を受信するように構成された信号受信モジュールであって、前記第１組は、１つ以上の売買業者コンピュータ各々からの信号を含み、前記第１組の信号の各信号は、１つ以上の課税管轄官庁各々に対する税額割り当てを示す情報を含む前記信号受信モジュールと、
第２組の信号を送信するように構成された信号送信モジュールであって、前記第２組は、前記各課税管轄官庁のコンピュータが受信するための信号を含み、前記第２組の信号の各信号は、第２資金振替を含み、前記第２資金振替は、前記税額割り当てを表す前記信号送信モジュールと、
を特徴とするシステム。
【請求項１９】
第１デビット口座信号を受信する段階であって、前記第１信号は、消費者用の口座情報及
び取引高を含み、前記取引高は、売上高及び税額を含む前記段階を含む税徴収及び配分方法において、
１つ以上の課税管轄官庁に対する前記税額の割り当てを決定する段階と、
前記口座情報に対応する銀行のコンピュータが受信するための第２信号を送信する段階であって、前記第２信号は、前記売上高に対応する第１資金振替要求及び前記割り当てに準じた前記課税管轄官庁への第２資金振替を含む前記段階と、
前記銀行の前記コンピュータから第３信号を受信する段階であって、前記第３信号は、前記第１資金振替を含む前記段階と、
を特徴とする方法。
【請求項２０】
第１デビット口座信号を受信するように構成された受信モジュールを含む税徴収及び配分システムにおいて、前記第１信号は、消費者用の口座情報及び取引高を含み、前記取引高は、売上高及び税額を含む前記受信モジュールを含む前記税徴収及び配分システムであって、
１つ以上の課税管轄官庁に対する前記税額の割り当てを決定するように構成された割り当てモジュールと、
前記口座情報に対応する銀行のコンピュータが受信するための第２信号を送信するように構成された送信モジュールであって、前記第２信号は、前記売上高に対応する第１資金振替要求及び前記割り当てに準じた前記課税管轄官庁への第２資金振替を含む前記段階と、
前記受信モジュールは、更に、前記銀行の前記コンピュータから第３信号を受信するように構成されており、前記第３信号は、前記第１資金振替を含むこと、
を特徴とするシステム。
【請求項２１】
税徴収及び配分方法において、第１デビット口座信号を受信する段階であって、前記第１信号は、消費者用の口座情報及び取引高を含み、前記取引高は、売上高及び税額を含む前記段階を含む前記税徴収及び配分方法であって、
１つ以上の課税管轄官庁に対する前記税額の割り当てを決定する段階と、
前記割り当てを反映するためにデータベースを更新する段階と、
前記口座情報に対応する銀行のコンピュータが受信するための第２信号を送信する段階であって、前記第２信号は、前記取引高に対応する第１資金振替要求を含む前記段階と、
前記銀行の前記コンピュータから第３信号を受信する段階であって、前記第３信号は、前記第１資金振替を含む前記段階と、
中央機関コンピュータが受信するための第４信号を送信する段階であって、前記第４信号は、前記データベースからの情報を含み、前記情報は、前記割り当てを示し、前記第４信号は、更に、累積税額に対応する資金振替を含む前記段階と、
を特徴とする方法。
【請求項２２】
税徴収及び配分システムにおいて、第１デビット口座信号を受信するように構成された受信モジュールであって、前記第１信号は、消費者用の口座情報及び取引高を含み、前記取引高は、売上高及び税額を含む前記受信モジュールを含む前記税徴収及び配分システムであって、
１つ以上の課税管轄官庁に対する前記税額の割り当てを決定するように構成された割り当てモジュールと、
前記割り当てを反映するためにデータベースを更新するように構成されたデータベースモジュールと、
前記口座情報に対応する銀行のコンピュータが受信するための第２信号を送信するように構成された送信モジュールであって、前記第２信号は、前記取引高に対応する第１資金振替要求を含む前記送信モジュールと、
前記受信モジュールは、更に、前記銀行の前記コンピュータから第３信号を受信するよ
うに構成されており、前記第３信号は、前記第１資金振替を含み、
前記送信モジュールは、更に、中央機関コンピュータが受信するための第４信号を送信するように構成されており、前記第４信号は、前記データベースからの情報を含み、前記情報は、前記割り当てを示し、前記第４信号は、更に、累積税額に対応する資金振替を含むこと、
を特徴とするシステム。
【請求項２３】
税徴収及び配分方法において、
第１組のデビット口座信号を受信する段階であって、前記第１組の各信号は、消費者用の口座情報、売上高、税額、及び１つ以上の課税管轄官庁に対する前記税額の割り当てに関する情報を含む段階と、
前記第１組の各信号に対する前記割り当てを反映するためにデータベースを更新する段階と、
第２組の信号を送信する段階であって、第２組の各信号は、前記第１組の信号の１つに対応し、また、売買業者に対応するコンピュータが受信するためのものであり、更に、売上高に対応する資金振替を含む前記段階と、
中央機関コンピュータが受信するための第３信号を送信する段階であって、前記第３信号は、累積税額を示す資金振替を含み、前記第３信号は、更に、前記割り当てを示す前記データベースからの情報を含む前記段階と、
を特徴とする方法。
【請求項２４】
税徴収及び配分システムにおいて、
第１組のデビット口座信号を受信するように構成された受信モジュールであって、前記第１組の各信号は、消費者用の口座情報、売上高、税額、及び１つ以上の課税管轄官庁に対する前記税額の割り当てに関する情報を含む前記受信モジュールと、
前記第１組の各信号に対する前記割り当てを反映するためにデータベースを更新するように構成されたデータベースモジュールと、
第２組の信号を送信するように構成された送信モジュールであって、第２組の各信号は、前記第１組の信号の１つに対応し、また、売買業者に対応するコンピュータが受信するためのものであり、更に、売上高に対応する資金振替を含む前記送信モジュールと、
前記送信モジュールは、更に、中央機関コンピュータが受信するための第３信号を送信するように構成されており、前記第３信号は、累積税額を示す資金振替を含み、前記第３信号は、更に、前記割り当てを示す前記データベースからの情報を含むこと、
を特徴とするシステム。
【請求項２５】
税徴収及び配分方法において、第１取引信号を受信する段階であって、前記第１信号は、消費者と売買業者との間の取引に関する情報を含み、前記情報は、取引高と消費者情報を含む前記段階を含む前記方法であって、
前記取引高と前記消費者情報とに基づき１つ以上の課税管轄官庁に対する所得税額の割り当てを決定する段階と、
中央機関コンピュータが受信するための第２信号を送信する段階であって、前記信号は、前記割り当てを含む前記段階と、
を特徴とする方法。
【請求項２６】
税徴収及び配分システムにおいて、第１取引信号を受信するように構成された受信モジュールであって、前記第１信号は、消費者と売買業者との間の取引に関する情報を含み、前記情報は、取引高と消費者情報を含む前記受信モジュールを含む前記システムであって、
前記取引高と前記消費者情報とに基づき１つ以上の課税管轄官庁に対する所得税額の割り当てを決定するように構成された割り当てモジュールと、
中央機関コンピュータが受信するための第２信号を送信するように構成された送信モジ
ュールであって、前記信号は、前記割り当てを含む前記送信モジュールと、
を特徴とするシステム。